(57)【要約】【課題】  給湯装置の電源スイッチまたは洗面化粧台の防曇スイッチのいずれか一方もしくは両方がオンのままになっていることに気付きやすくすることによって、それらのスイッチの切り忘れを防止する。【解決手段】  洗面化粧台１に、給湯装置の電源スイッチ部２ａを設け、その電源スイッチ３がオン状態になっていることを示す電源スイッチのステイタス報知手段（例、制御部５と表示部４）を設ける。【代表図】  図１【特許請求の範囲】
【請求項１】
洗面化粧台に、給湯装置の電源スイッチ、もしくは前記電源スイッチを備える給湯装置のリモコンを設けたことを特徴とする、洗面化粧台のユーザインタフェース方式。
【請求項２】
洗面化粧台に、前記電源スイッチがオン状態になっていることを示す電源スイッチのステイタス報知手段を設けた、請求項１記載の洗面化粧台のユーザインタフェース方式。
【請求項３】
洗面化粧台は、ヒータで加温できる鏡を備え、前記鏡の曇止め用ヒータスイッチを具備するとともに、前記ヒータスイッチがオン状態になっていることを示すヒータのステイタス報知手段を具備することを特徴とする洗面化粧台のユーザインタフェース方式。
【請求項４】
前記洗面化粧台は、ヒータで加温できる鏡を備え、前記鏡の曇止め用ヒータスイッチを具備するとともに、前記ヒータスイッチがオン状態になっていることを示すヒータのステイタス報知手段を具備する、請求項１記載または請求項２記載の洗面化粧台のユーザインタフェース方式。
【請求項５】
前記ヒータスイッチは、前記電源スイッチがオン状態のときにオンにし得るか、もしくは前記電源スイッチがオン状態のとき及びオン状態からオフ状態へ移行してから所定時間後までの間、オンにし得るか、である、請求項４記載の洗面化粧台のユーザインタフェース方式。
【請求項６】
前記洗面化粧台は、給湯装置が備えるリモコンが設けられた浴室の出入り口に面する部屋に備えるものである、請求項１記載、請求項２記載、請求項４記載または請求項５記載の洗面化粧台のユーザインタフェース方式。
【発明の詳細な説明】
【技術分野】
【０００１】  本発明は、洗面化粧台のユーザインタフェース方式に関する。
【背景技術】
【０００２】  例えば、特開２００１−２０１１７５号公報に示されるように、浴室、台所または洗面所などにお湯を供給する給湯装置のリモコン（運転スイッチ部ないし電源スイッチ部）は、浴室の壁面に、及び台所または洗面所などの壁面に、設けるのが普通である。
このような給湯装置を具備する家屋において、風呂に入るときは、給湯装置の２つないし３つのリモコンのうち、どれかで給湯装置の電源スイッチを入れて風呂に入る。風呂から出るときは、特にそれが（その日の）最後の入浴者である場合、あるいは当分の間、誰も入浴する予定のないような場合、風呂から出る者が浴室に設けてある電源スイッチ部（浴室のリモコン）の電源スイッチを切って、つまりオフにして、浴室から出る。ところが、深夜に疲れて、あるいは酔って、帰宅したときのように、その日の最後に一人で入浴したような場合、該電源スイッチの切り忘れがよく起きる。そうでなくても、入浴後の電源スイッチの切り忘れは、起こり得るものであり、安全面からも省エネ面からも、それは好ましくない。
一方、例えば実開平０１−１５９７３０号公報に開示されているように、洗面化粧台においては、ミラーの曇り取り用のヒータスイッチないし防曇スイッチ（以後ヒータスイッチという）を備えているものがある。ところが、この防曇スイッチを切り忘れることがしばしば起きる。何故かというと、照明スイッチとは異なり、ミラーの曇り取り用のスイッチがオン（状態）になっているか、オフ（状態）になっているか、一見しては判りにくいからである。
【特許文献１】  特開２００１−２０１１７５号公報
【特許文献２】  実開平０１−１５９７３０号公報
【発明の開示】
【発明が解決しようとする課題】
【０００３】  本発明に係る洗面化粧台のユーザインタフェース方式は、従来の技術が有する上記問題点に鑑み成されたもので、次の課題を解決することを目的とする。
給湯装置の電源スイッチまたは洗面化粧台のヒータスイッチのいずれか一方もしくは両方がオンのままになっていることに気付きやすくすることによって、それを防止する。特に風呂から出るときに、給湯装置の電源スイッチのオフし忘れを防止する。
【課題を解決するための手段】
【０００４】  上記課題を解決するための本発明の第１発明は、請求項１に記載されたとおりの洗面化粧台のユーザインタフェース方式であり、次のようなものである。
洗面化粧台に、給湯装置の電源スイッチ、もしくは前記電源スイッチを備える給湯装置のリモコンを設けたことを特徴とする。
上記課題を解決するための本発明の第２発明は、請求項２に記載されたとおりの洗面化粧台のユーザインタフェース方式であり、次のようなものである。
請求項１記載の洗面化粧台のユーザインタフェース方式において、前記電源スイッチがオン状態になっていることを示す電源スイッチのステイタス報知手段を設けたことを特徴とする。
上記課題を解決するための本発明の第３発明は、請求項３に記載されたとおりの洗面化粧台のユーザインタフェース方式であり、次のようなものである。
洗面化粧台は、ヒータで加温できる鏡を備え、前記鏡の曇止め用ヒータスイッチを具備するとともに、前記ヒータスイッチがオン状態になっていることを示すヒータのステイタス報知手段を具備することを特徴とする。
上記課題を解決するための本発明の第４発明は、請求項４に記載されたとおりの洗面化粧台のユーザインタフェース方式であり、次のようなものである。
請求項１記載または請求項２記載の洗面化粧台のユーザインタフェース方式において、前記洗面化粧台は、ヒータで加温できる鏡を備え、前記鏡の曇止め用ヒータスイッチを具備するとともに、前記ヒータスイッチがオン状態になっていることを示すヒータのステイタス報知手段を具備する構成である。
上記課題を解決するための本発明の第５発明は、請求項５に記載されたとおりの洗面化粧台のであり、次のようなものである。
請求項４記載の洗面化粧台のユーザインタフェース方式において、前記ヒータスイッチは、前記電源スイッチがオン状態のときにオンにし得るか、もしくは前記電源スイッチがオン状態のとき及びオン状態からオフ状態へ移行してから所定時間後までの間、オンにし得るか、のように構成してあるのものである。
上記課題を解決するための本発明の第６発明は、請求項６に記載されたとおりの洗面化粧台のユーザインタフェース方式であり、次のようなものである。
請求項１記載、請求項２記載、請求項４記載または請求項５記載の洗面化粧台のユーザインタフェース方式において、前記洗面化粧台は、給湯装置が備えるリモコンが設けられた浴室の出入り口に面する部屋に備えるものである。
【発明の効果】
【０００５】  本発明に係る洗面化粧台におけるユーザインタフェース方式は、以上説明したような構成であるので、以下に記載する効果を奏する。
洗面化粧台に、給湯装置の電源スイッチ、もしくは該電源スイッチを有するリモコンたる電源スイッチ部を設けたので、電源スイッチの切り忘れに気付きやすい。どうしてかというと、風呂上がりには、洗面化粧台、特にそのミラーを見たり、利用したりすることが多いからである。風呂を使った後に、浴室に設けてある給湯装置の電源スイッチ部（リモコン）で電源スイッチをオフすることを忘れても、風呂（浴室）から出て、多くは浴室の出入り口に面した部屋に置いてある洗面化粧台を見れば、電源スイッチの切り忘れに気付き、洗面化粧台が具備する電源スイッチで給湯装置のメイン電源を落とす（切る、オフにする）ことができる。特に、給湯装置の電源スイッチのステイタスを洗面化粧台に設けた電源スイッチ部に、ＬＥＤやＬＣＤなどで表示させれば、給湯装置の電源スイッチの切り忘れに気付きやすい。
また、洗面化粧台は、ヒータスイッチのステイタスを表示するので、ミラーの曇り止め用のヒータの切り忘れが少なくなる。
さらにまた、洗面化粧台のミラーが曇るのは、給湯装置が供給するお湯を使ったとき、あるいは使った後に限るので、給湯装置の電源スイッチの状態に応じて、ヒータスイッチをオンし得るようにして、ヒータスイッチの待機時の消費電力の低減させることも可能である。通常、ヒータスイッチの入力検出回路には２４時間、常時通電しているけれども、その必要がなくなる。
【発明を実施するための最良の形態】
【０００６】  図１は、本発明に係る洗面化粧台のユーザインタフェース方式の実施の一形態を示すブロック図である。
浴室１０の出入り口１１に面している、いわゆるパウダールーム、洗面室または更衣室などに、洗面化粧台１を設置する。給湯装置は、ボイラーである湯沸かし器６と電源スイッチ部（２ａ、２ｂ）とを含む構成である。なお、給湯装置の配管などは図示を省略する。給湯装置には、電源スイッチ部が少なくとも１つは必要である。しかし、浴室と浴室以外、例えば台所などに、電源スイッチ部を２個設けることが普通である。本発明では、少なくとも１個の該電源スイッチ部ないし電源スイッチを洗面化粧台に設ける。洗面化粧台のどこに給湯装置の電源スイッチ部を設けるかは、当業者の設計上の選択事項である。
電源スイッチ部（２ａ、２ｂ）というのは、湯沸かし器６への指令を入力するための操作装置であり、いわゆるリモコンである。そして、電源スイッチ部（２ａ、２ｂ）は、必ず電源スイッチ（３、２ｂ）を備えている。電源スイッチというのは、給湯装置（リモコンとボイラー）を運転スタンバイさせるとき、及び運転状態ない運転スタンバイ状態にある給湯装置の動作を止めるときに操作する主電源スイッチである。【０００７】  今、電源スイッチ部２ａまたは電源スイッチ部２ｂを操作して、給湯装置を働かせ、浴室１０で湯を使ったとする。その者が浴室１０から出るときは、当然、浴室１０の電源スイッチ部２ｂを操作して給湯装置の動作を停止させるべきである。ところが、それを忘れることがしばしばある。しかし、本発明によれば、洗面化粧台１に設けた電源スイッチ部２ａの表示部４に給湯装置の電源がオン状態であることが表示される。よって、浴室１０で給湯装置をオフにすることを忘れても、洗面化粧台１を見れば、そのことに気付きやすい。浴室１０で湯を使った後に、洗面化粧台１を使わない者は、例えば、そのミラー９を見ない者は、あまり居そうにないからである。また、多くの人は、風呂上がりに、洗面化粧台１の照明スイッチ８をオンしたりするであろう。よって、給湯装置をオフにすることを忘れたとしても、洗面化粧台１を見てそのことに気付き、電源スイッチ３で給湯装置の主電源を切ることができる。
なお、図中“電源オン”の警告は、点滅表示させてもよい。また、ＬＣＤのような表示部４でなく、電源スイッチ３にＬＥＤ警告ランプを設けて、給湯装置の電源がオン状態であることを知らせてもよく、そもそも電源オンの表示は、なくてもよい。それがあったほうが便利であるけれど、それがなくても、洗面化粧台１に電源スイッチ３を設けた本発明は、給湯装置の電源切り忘れに気付きやすいシステム構成となっている。【０００８】  洗面化粧台１のミラー９の背面には、図示しなけいれど、曇り取り用のヒータを設ける構成とすることも可である。ヒータがオフ状態のときにヒータスイッチ７を押したり、タッチしたりすると、制御部５がそのことを検知してヒータをオンにする。逆にヒータがオン状態のとき、ヒータスイッチ７を押したり、タッチしたりすると、制御部５がそのことを検知してヒータをオンにする。このヒータスイッチ７を電源スイッチ部２ａに設けることができる。
図３は、本発明に係る洗面化粧台のユーザインタフェース方式の別の実施の一形態を示すブロック図である。
今、ヒータスイッチ７を押して、ヒータをオンさせたとする。すると、その旨が洗面化粧台１側の電源スイッチ部２ａの表示部４に表示されるので、洗面化粧台１使用後、ヒータをオフすることを忘れる可能性が減る。なお、照明スイッチ８も電源スイッチ部２ａ内に設けても良いし、洗面化粧台１の照明（スイッチ）のステイタスを表示部４に表示し得る構成としてもよい。【０００９】  また、電源スイッチ部２ａが具備する制御部５は、電源スイッチ３がオン状態のときだけ、ヒータスイッチ７への通電を行なう構成としてもよい。ヒータスイッチ回路（図示せず）のスタンバイ電力の消費を抑制できる。さらにまた、制御部５は、電源スイッチ３がオン状態からオフ状態になった時点から所定時間の間は、ヒータスイッチ７への通電を行なう構成としてもよい。このようにすることによって、ミラー９が曇りそうなときだけ、ヒータスイッチ７をオンすることができ、ミラー９曇り取り用のヒータをオンさせることができる。つまり、洗面化粧台１（のヒータスイッチ回路）は、余計な待機電力を消費しない。【００１０】  図２は、本発明に係る洗面化粧台のユーザインタフェース方式の実施の形態を示すブロック図である。
浴室１０の電源スイッチ３ｂは、給湯装置がオン状態（運転中か運転スタンバイ中）であることを表示しているものとする。図中の黒丸がそうである。また、洗面化粧台１のヒータスイッチ７もオンされたものとする。ＣＰＵなどの制御部５は、洗面化粧台１と給湯装置（湯沸かし器６）のステイタスを検知し、ＬＣＤなどの表示部４に、例えば、“ヒータＯＮ”、“電源オン”などど表示する。浴室１０から出る際に、電源スイッチ３ｂの切り忘れたとしても、洗面化粧台１のところで気付きやすい。また、オンであるかオフであるか判りにくい、ミラー９の曇り止め用のヒータの切り忘れにも気付きやすい。
【図面の簡単な説明】
【００１１】
【図１】  図１は、本発明に係る洗面化粧台のユーザインタフェース方式の実施の一形態を示すブロック図である。
【図２】  図２は、本発明に係る洗面化粧台のユーザインタフェース方式の実施の形態を示すブロック図である。
【図３】  図３は、本発明に係る洗面化粧台のユーザインタフェース方式の別の実施の一形態を示すブロック図である。
【符号の説明】
【００１２】  １  洗面化粧台
２ａ、２ｂ  電源スイッチ部
３、３ｂ  電源スイッチ
４  表示部
５  制御部
６  湯沸かし器
７  ヒータスイッチ
８  照明スイッチ
９  ミラー
１０  浴室
１１  出入り口
【図１】
2005103221.tif 000002
【図２】
2005103221.tif 000003
【図３】
2005103221.tif 000004